(57)【要約】      （修正有）【課題】ウィルスに感染しないＣＤ−ＲＯＭ起動システムに必要な記憶だけをさせることにより、ネットサーフィン等設定された業務を安全に行うライブＣＤ記憶システムを提供する。【解決手段】ライブＣＤ記憶システムでは、ＵＳＢメモリ２００内に起動システムを備えるライブＣＤ記憶システムであって、ＵＳＢメモリ２００の内部に記憶圧縮ファイル２０５が保存され、記憶圧縮ファイル２０５を解凍、展開する。ライブＣＤ記憶システムは、設定や使用するのに必要なファイルのみを集めて、任意で圧縮保存し、また起動後に任意で解凍、展開する。【選択図】図２
2016045922.tif 000002
【特許請求の範囲】
【請求項１】
ＵＳＢメモリ内に起動システムを備えるライブＣＤ記憶システムであって、前記ＵＳＢメモリの内部に必要な記憶圧縮ファイルが保存され、前記記憶圧縮ファイルを解凍、展開することを特徴とするライブＣＤ記憶システム。
【請求項２】
請求項１記載のライブＣＤ記憶システムにおいて、ファットＯＳの中でハイパーバイザーを利用して仮想的に前記ライブＣＤ記憶システムが作動されることを特徴とするライブＣＤ記憶システム。
【請求項３】
請求項２記載のライブＣＤ記憶システムにおいて、前記ファットＯＳの機能を利用した指紋認証ＵＳＢメモリの中でハイパーバイザーを利用して仮想的に前記ライブＣＤ記憶システムが作動させることを特徴とするライブＣＤ記憶システム。
【発明の詳細な説明】
【技術分野】
【０００１】  本発明はＣＤ−ＲＯＭからＯＳを起動できるＣＤ−ＲＯＭ起動システムにおいて、リードオンリー（ＲＯＭ）システムであるが故に本来記憶が何もできなかったものを記憶可能にしたライブＣＤ記憶システムに関する。
【背景技術】
【０００２】  近年、ウィルス感染によりコンピュータを外部から遠隔操作される事件が多発している。ＣＤ−ＲＯＭからＯＳが起動できれば、ＣＤ−ＲＯＭから展開されたＲＡＭメモリ上のＯＳですべてのプログラムを動かすことができる。故に使用中にウィルスに感染した場合、電源を入れ直すことにより、感染前の初期状態に戻すことができ、不正な遠隔操作されることは無いが、設定等を記憶させておくことが出来ない。
【先行技術文献】
【特許文献】
【０００３】
【特許文献１】  特開平１１−２７２４５２号公報
【特許文献２】  特開２００９−９３３６９号公報
【発明の概要】
【発明が解決しようとする課題】
【０００４】  特許文献１に記載された、ＣＤ−ＲＯＭ起動システムでは、設定ファイル等、初期状態で設定されたもの以外の設定ファイル等を全く記憶することが出来ない。特許文献２に記載されたスティックサーバでは、設定ファイルは極わずかであり、ウィルス等が混入する可能性が低い。また、クライアントとして使用するＣＤ−ＲＯＭ起動システムでは、ネットサーフィン等、多種多様のウィルス・マルウェア等脅威と遭遇する可能性がある。ＣＤ−ＲＯＭ起動システムの一種であるがファイル追加、書き換えすべてに対応する仕組みとして、一般的にｃａｓｐｅｒシステムというものが使われている。しかしながら、このＣＤ−ＲＯＭ起動システムでは、パフォーマンスが著しく落ちることが知られている。【０００５】  本発明は、上記の課題を解決するため、必要かつ実行権限の無い安全性の高い設定ファイルのみ集めで圧縮し、また、それの保存の要否、記憶の復元の要否を使用者の意図で任意に選択できることを目的とする。
【課題を解決するための手段】
【０００６】  本発明に係るライブＣＤ記憶システムは、ＵＳＢメモリ内に起動システムを備えるライブＣＤ記憶システムであって、前記ＵＳＢメモリの内部に記憶圧縮ファイルが保存され、前記記憶圧縮ファイルを解凍、展開することを特徴とする。【０００７】  前記ライブＣＤ記憶システムにおいて、ファットＯＳの中でハイパーバイザーを利用して仮想的に前記ライブＣＤ記憶システムが作動されることを特徴とする。【０００８】  前記ライブＣＤ記憶システムにおいて、前記ファットＯＳの機能を利用した指紋認証ＵＳＢの中でハイパーバイザーを利用して仮想的に前記ライブＣＤ記憶システムが作動させることを特徴とする。
【発明の効果】
【０００９】  本発明のライブＣＤ記憶システムによれば、ウィルスに感染しないＣＤ−ＲＯＭ起動システムに必要な記憶だけをさせることにより、ネットサーフィン等設定された業務を安全に行うことができる。【００１０】  またライブＣＤ記憶システムによれば、ファットＯＳの中でハイパーバイザーを利用して仮想的にライブＣＤ記憶システムを動かすと本体であるファットＯＳがウィルスに感染したとしても、仮想的に動いているライブＣＤ記憶システムには影響しないので、絶対不正な遠隔操作をされてはならないネット上での銀行取引処理等をライブＣＤ記憶システムでは安全に行うことが出来る。【００１１】  さらに、ライブＣＤ記憶システムでは、ファットＯＳ上で稼働する指紋認証ＵＳＢ内で実行することにより、ファットＯＳで指紋を認証した後に、ファットＯＳの中でハイパーバイザーを利用して仮想的にライブＣＤ記憶システムを作動させることが出来る。ファットＯＳがウィルス感染していたとしても、指紋認証を行うのであるから意図しない不正な遠隔操作をされることはなく、セキュリティを上げることができる。
【図面の簡単な説明】
【００１２】
【図１】  本発明の実施形態に係るライブＣＤ記憶システムの概略図である
【図２】  本発明の実施形態に係るライブＣＤ記憶システムの詳細説明図である。
【図３】  本発明の実施形態に係るライブＣＤ記憶システムの記憶処理手順のフローチャート図である。
【図４】  図４Ａは、ファットＯＳ上でのライブＣＤ記憶システムの実施形態に係る説明図である。図４Ｂは、ハイパーバイザーがＵＳＢ起動に対応していない場合に、ＵＳＢ起動補助システムを併用してのファットＯＳ上でのライブＣＤ記憶システムの実施形態に係る説明図である。
【図５】  図５Ａは指紋認証ＵＳＢメモリをファットＯＳ上で認証した場合のライブＣＤ記憶システムの実施形態に係る説明図である。図５Ｂは、ハイパーバイザーがＵＳＢ起動に対応していない場合に、ＵＳＢ起動補助システムを併用してのファットＯＳ上でのライブＣＤ記憶システムの実施形態に係る説明図である。
【発明を実施するための形態】
【００１３】  図１は、本発明の実施形態に係るライブＣＤ記憶システムの概略説明図である。図２は、本発明の実施形態に係るライブＣＤ記憶システムの詳細説明図である。
【００１４】  コンピュータ装置１００は、ＣＰＵ、ＲＡＭメモリを備えたコンピュータである。コンピュータ装置１００は、表示手段１０１（ディスプレィ等）、入力手段１０２（マウス・キーボード）及びＵＳＢポート１０３を備える。
【００１５】  ＵＳＢポート１０３には、本発明の実施形態に係るライブＣＤ記憶システムが書き込まれたＵＳＢメモリ２００が接続され、ＵＳＢポート１０３に接続された状態でコンピュータ装置１００の電源が入れられる。但し、コンピュータ装置１００は、ＵＳＢから起動できるＢＩＯＳを備えるものとする。
【００１６】  ＵＳＢメモリ２００は、制御部２０１、ＵＳＢコントローラ２０２、入出力部２０３、ＭＢＲ（マスターブートレコード）２０４ａ、ＯＳ起動プログラム２０４ｂ、ＯＳ本体２０４ｃ及びライブＣＤ記憶システムを圧縮した記憶圧縮ファイル２０５を備える。
【００１７】    ＵＳＢメモリ２００内のライブＣＤ記憶システムでは、制御部２０１からの命令でＵＳＢコントローラ２０２がまず、ＭＢＲ２０４ａをコンピュータ装置１００のＲＡＭメモリに読み込み、次にＯＳ起動プログラム２０４ｂを読み込み、次いでＯＳ本体２０４ｃを読み込んで、ＣＤ−ＲＯＭのＯＳが起動される。
【００１８】  図３は、本発明の実施形態に係るライブＣＤ記憶処理手順のフローチャート図である。
【００１９】  ＣＤ−ＲＯＭのＯＳが起動する（ステップＳ１）と、操作する人は以前使っていた記憶圧縮ファイル２０５を復元するかどうかを選択する（ステップＳ２）。復元する場合（ステップＳ２  ＹＥＳ）は記憶圧縮ファイル２０５があることが確認され（ステップＳ３）、記憶圧縮ファイル２０５が元の場所に解凍展開（ステップＳ４）され、クライアントＯＳが使用される（ステップＳ５）。
【００２０】  使用中、その状態の記憶をしたい場合は、記憶を選択する（ステップ６  ＹＥＳ）と、一度記憶すべきファイルが一定の場所に集められ、圧縮される（ステップＳ７）。このＯＳは、ＣＤ−ＲＯＭ起動をしているので、ＵＳＢメモリ２００は、この状態ではＲＯＭ（リードオンリー）としてマウントされ、ＲＷ（リ−ドライト）として再マウントされる。その後、記憶圧縮ファイル２０５が新しく上書きされる。
【００２１】  図４Ａは、ファットＯＳ上でライブＣＤ記憶システムの実施形態に係る説明図である。図４Ｂは、ハイパーバイザーがＵＳＢ起動に対応していない場合に、ＵＳＢ起動補助システムを併用してのファットＯＳ上でのライブＣＤ記憶システムの実施形態に係る説明図である。
【００２２】  マシン３００は、ファットＯＳが動いているマシンである。仮想マシン３０１は、マシン３００上で動くハイパーバイザー上の仮想マシンであり、仮想マシン３０１でライブＣＤ記憶システム３０２が動く。ＵＳＢメモリ３０３は、ライブＣＤ記憶システム３０２が記憶されたＵＳＢメモリである。
【００２３】  マシン３１０は、ファットＯＳが動いているマシンである。仮想マシン３１１は、マシン３１０上で動くハイパーバイザー上の仮想マシンであり、仮想マシン３１１でライブＣＤ記憶システム３１２が動く。ＵＳＢ起動補助システム３１４は、ＵＳＢメモリ３１３を仮想マシン３１１に認識させるためのシステムである。ＵＳＢメモリ３１３は、ライブＣＤ記憶システム３１２が記憶されたＵＳＢメモリである。
【００２４】  図１の起動形態ではライブＣＤ記憶システムは、自身の持つ仕組みでネットワークに接続しなければならない。すなわち、無線ＬＡＮであれば、コンピュータ装置１００に内臓された無線ＬＡＮ装置のドライバを自らのＯＳ内で持ち、無線ＬＡＮに接続するための暗号化パスワードが設定されなければならない。
【００２５】  図４では、ハイパーバイザーを用いて、ファットＯＳの持つネットワークに接続すればよく、新しいハードウエアにライブＣＤ記憶システムが対応する必要がなく、ファットＯＳ内で仮想的に起動できれば良い。図４Ａは、ハイパーバイザーがＵＳＢ起動に対応している場合（例えばＶｉｒｔｕａｌＢＯＸ等）の構成図である。
【００２６】  ハイパーバイザーがＵＳＢ起動に対応していない（例えばＶＭｗａｒｅ等）の場合には、一度、ＵＳＢ起動補助システム３１４（例えばＰＬＯＰ起動システム等）を使い、ＵＳＢメモリ３１３を仮想マシン３１１に認識させなければならない。その後は、ライブＣＤ記憶システム３１２にコントロールが渡り、クライアントＯＳとし使用することが出来る。
【００２７】  図５Ａは、指紋認証ＵＳＢメモリをファットＯＳ上で認証した場合のライブＣＤ記憶システムの実施形態に係る説明図である。図５Ｂは、ハイパーバイザーがＵＳＢ起動に対応していない場合にＵＳＢ起動補助システムを併用してファットＯＳ上のライブＣＤ記憶システムの実施形態に係る説明図である。
【００２８】  マシン４００は、ファットＯＳの動いているマシンである。仮想マシン４０１は、ファットＯＳ上で動くハイパーバイザー上の仮想マシンであり、仮想マシン４０１でライブＣＤ記憶システム４０２が動く。指紋認証ＵＳＢメモリ４０３は、マシン４００に接続され、認証されて認識できるようになるライブＣＤ記憶システム４０２が記憶されたＵＳＢメモリである。
【００２９】  マシン４１０は、ファットＯＳの動いているマシンである。仮想マシン４１１は、ファットＯＳ上で動くハイパーバイザー上の仮想マシンであり、仮想マシン４１１でライブＣＤ記憶システム４１２が動く。ＵＳＢ起動補助システム４１４は、指紋認証ＵＳＢメモリ４１３を仮想マシン４１１に認識させるためのシステムである。指紋認証ＵＳＢメモリ４１３は、マシン４１０に接続され、認証されて認識できるようになるライブＣＤ記憶システム４１２が記憶されたＵＳＢメモリである。
【００３０】  図５Ａにおける本発明の実施形態に係るライブＣＤ記憶システムでは、ファットＯＳ上で動く指紋認証ＵＳＢメモリ４０３を使用する場合であって、ファットＯＳで指紋認証を行った後は、図４Ａと同じ動作をする。
【００３１】  図５Ｂにおける本発明の実施形態に係るライブＣＤ記憶システムにおいても、指紋認証ＵＳＢメモリ４１３をファットＯＳ上で使用するが、ハイパーバイザーがＵＳＢ起動に対応していない場合であり、図４Ｂと同じ動作をする。
【００３２】  本発明の実施形態に係るライブＣＤ記憶システムでは、ＣＤ−ＲＯＭからＯＳを起動すれば記憶が出来ないので保存できない設定情報や、記憶しておきたい個人ファイル類のみを、自分の意図で任意に保存、復元可能なシステムを可能にした、ライブＣＤ記憶システムである。
【００３３】  一般的に使われているファットＯＳ上に仮想的にライブＣＤ記憶システムを稼働することにより、ファットＯＳがウィルスに感染したとしても不正な遠隔操作されることはありえない。よって仮想シンクライアントとしてもライブＣＤ記憶システムを構成することが出来る。
【００３４】  なお、本発明は、上述の実施形態に限らず、本発明の要旨を逸脱することなく、種々の構成を採り得ることはもちろんである。
【符号の説明】
【００３５】  １００    コンピュータ装置
１０１    表示手段（ディスプレィ等）
１０２    入力手段（マウス・キーボード）
１０３    ＵＳＢポート
２００    ＵＳＢメモリ
２０１    制御部
２０２    ＵＳＢコントローラ
２０３    入出力部
２０４ａ  マスターブートレコード
２０４ｂ  ＯＳ起動プログラム
２０４ｃ  ＯＳ本体
２０５    記憶圧縮ファイル
３００、３１０、４００、４１０  マシン
３０１、３１１、４０１、４１１  仮想マシン
３０２、３１２、４０２、４１２  ライブＣＤ記憶システム
３１４、４１４  ＵＳＢ起動補助システム
４０３、４１３  指紋認証ＵＳＢメモリ
【図１】
2016045922.tif 000003
【図２】
2016045922.tif 000004
【図３】
2016045922.tif 000005
【図４】
2016045922.tif 000006
【図５】
2016045922.tif 000007